(57)【要約】  多相計量システムにおいて１つ又は複数のパラメーターを測定する技法が提供される。多相計量システムは、流れプロセスの１つ又は複数の流体要素を輸送するように構成される輸送構造を備える。複数の電極が、輸送構造の断面と同心的に配置され、断面領域を通して流れる流体のパラメーターを決定しても良い。多相計量システムは、多相計量システムの寄生インピーダンスと実質的に等しいインピーダンスを有する平衡負荷を含む測定回路構成を備える測定電子装置を有する。測定電子装置は、測定回路構成により検知される電流に基づいて、流速、流量等のような１つ又は複数のパラメーターを決定するに適するプロセッサも備える。【選択図】図１
2015500470.tif 000002
【特許請求の範囲】
【請求項１】
測定される負荷に関係する１つ又は複数のパラメーターを測定するように構成されるシステムであって、
第１の入力及び第２の入力を有する差動増幅器と、
前記第１の入力と接続される電極であって、前記測定される負荷を通して電流を出力するように構成される電極と、
前記第１の入力と接続される第１の検知インピーダンスであって、１つ又は複数の前記測定される負荷又は前記測定される負荷と並列な寄生負荷を通して電流を通電するように構成される第１の検知インピーダンスと、
前記第２の入力と接続され且つ前記システムの接地部と接続される平衡負荷であって、前記寄生負荷と平衡するように構成される平衡負荷と、
前記第２の入力と接続される第２の検知インピーダンスであって、前記第１の検知インピーダンスのインピーダンスと実質的に等しいインピーダンスを有し、且つ前記平衡負荷を通して電流を通電するように構成される第２の検知インピーダンスとを備えるシステム。
【請求項２】
前記第１の入力が、前記第１の検知インピーダンスと前記測定される負荷との間に接続される、請求項１記載のシステム。
【請求項３】
導管を通して流れプロセスを測定するように構成される電極体を備え、前記電極体が１つ又は複数の電極を有する、請求項１記載のシステム。
【請求項４】
前記測定される負荷が、前記流れプロセスの１つ又は複数の流体要素を有し、且つ、前記１つ又は複数の電極が、前記１つ又は複数の流体要素を通してそれぞれの電流を検知するように構成される、請求項３記載のシステム。
【請求項５】
前記測定される負荷と関係する１つ又は複数のパラメーターが、前記測定される負荷の１つ又は複数の流体要素の流速を含み、前記１つ又は複数の流体要素が、水、石油、ガス、砂、及び、それらの組み合わせを含む、請求項１記載のシステム。
【請求項６】
前記測定される負荷を輸送するに適したパイプを備え、前記電極は、前記パイプと結合して、前記測定される負荷を通して電流を検知するように構成される、請求項１記載のシステム。
【請求項７】
多相計量システムであって、
流れプロセスにおける１つ又は複数の流体要素を輸送するように構成される輸送パイプと、
前記輸送パイプを通して流れる前記１つ又は複数の流体要素の電気的な状態を測定するように構成される１つ又は複数の電極と、
前記１つ又は複数の電極と結合する測定回路構成、及び前記多相計量システムの寄生インピーダンスと実質的に等しいインピーダンスを有する平衡負荷を備える測定電子装置とを備える多相計量システム。
【請求項８】
前記電気的な状態は、前記１つ又は複数の流体要素の電圧降下、前記１つ又は複数の流体要素を通る電流、前記１つ又は複数の流体要素のインピーダンス、又はそれらの組み合わせを含む、請求項７記載の多相計量システム。
【請求項９】
前記１つ又は複数の電極が、前記輸送パイプの断面と実質的に同心に配置される電極体に設けられる、請求項７記載の多相計量システム。
【請求項１０】
前記測定電子装置が、前記１つ又は複数の電極から前記電気的な状態の測定値を受信し、且つ前記電気的な状態に基づく前記１つ又は複数の流体要素と関係する１つ又は複数のパラメーターを決定するように構成されるプロセッサを備える、請求項７記載の多相計量システム。
【請求項１１】
前記１つ又は複数のパラメーターは、前記輸送パイプの断面領域について、１つ又は複数の流速、体積流量、及び１つ又は複数の流体要素の量を含む、請求項１０記載の多相計量システム。
【請求項１２】
１つ又は複数の流体要素の部分の間の差動電圧降下に比例する電圧を出力するように構成される差動増幅器を備える、請求項７記載の多相計量システム。
【請求項１３】
前記差動増幅器は、第１の入力及び第２の入力を備え、前記第１の入力は、前記１つ又は複数の電極のうちの１個と接続されて、前記１つ又は複数の流体要素の部分の電気的な状態を測定する、請求項１２記載の多相計量システム。
【請求項１４】
前記平衡負荷が、前記第２の入力と前記多相計量システムの接地部の間に配置される、請求項１３記載の多相計量システム。
【請求項１５】
前記測定回路構成が、前記１つ又は複数の電極のうちの１個のインピーダンスと実質的に等しいインピーダンスを有する平衡インピーダンスを備え、前記第２の入力が前記平衡インピーダンスと前記平衡負荷の間に接続される、請求項１３記載の多相計量システム。
【請求項１６】
前記平衡インピーダンスが、１０Ωと１ｋΩの間である、請求項１５記載の多相計量システム。
【請求項１７】
前記平衡負荷が、１ｐＦと５００ｐＦの間である、請求項７記載の多相計量システム。
【請求項１８】
前記１つ又は複数の流体要素の測定される部分のインピーダンスの大きさが、５Ωと１ＭΩの間である、請求項７記載の多相計量システム。
【請求項１９】
多相流体計量システムにおいて流れパラメーターを監視する方法であって、
前記多相流体計量システムにおいて、流体要素の部分の間の差動電圧降下を検知することと、
平衡負荷を使用して、前記多相流体計量システムの寄生インピーダンスを平衡することとを含む方法。
【請求項２０】
第１の電圧入力と第２の電圧入力との間の電圧差に比例する電圧を出力することを含み、前記第１の電圧入力は、前記流体要素の前記部分の電圧降下と前記寄生インピーダンスの電圧降下を有し、前記第２の電圧入力は、前記平衡負荷の電圧降下を有する、請求項１９記載の方法。
【請求項２１】
前記出力電圧に基づく前記流れパラメーターを決定することを含む、請求項２０記載の方法。
【発明の詳細な説明】
【技術分野】
【０００１】
本発明は、１つ又は複数のパラメーターを測定する多相計量システムおよびパラメータ監視方法に関する。
【背景技術】
【０００２】
流れプロセスは、流体が流路を通して流れるプロセスを含んでも良い。流れプロセスは、石油とガス、精製、飲食物、化学と石油化学、発電、製薬、及び、上水と汚水処理産業のような異なるいくつもの産業に関連する。様々な流れプロセスと関連する流体は、単相流体（例えば、ガス、水、又は液体／液体混合等）及び／又は混合流体（例えば、石油と砂、すなわち液体／固体等）であっても良い。多相混合は、２相液体／気体混合、固体／気体混合、固体／液体混合、液体／液体混合、気体取り込み液体、３相混合のような単相より多くの相を有する材料の流体を含んでも良い。
【０００３】
石油及びガス産業のような特定の産業において、流れプロセスは、監視又は測定され、流体要素の流れる流体及び／又は流量において異なる構成要素の量を定めても良い。例えば、海から石油とガスを取り出す際に、石油、水、ガス及び砂は、変化する量と変化する流量でパイプを通して取り出されても良い。このような多相混合の量及び／又は流量を測定することは、石油とガス生成プロセスを改良することになる可能性がある。例えば、石油とガスを取り出すプロセスは、取り出された混合物における水又は砂の量の多さに応じて修正されても良い。
【０００４】
石油とガスの流れプロセスにおいて異なる流体要素を監視又は測定するいくつかの技法は、多相計量システムを使用してパイプを通して流れる異なる流体のインピーダンスを測定することを含む。しかしながら、流れプロセスは、監視することが困難となることがある高インピーダンス流体を時々伴っても良い。さらに、測定される流体の性質、導管を通して流れる流体の流れパターン、及び／又は多相計量システムの構成に依存して、寄生インピーダンスが正確な監視と流れプロセスの測定を妨げる可能性がある。従来の多相計量技法は、相対的に高インピーダンス流体及び／又は高寄生インピーダンスを伴う流れプロセスを測定するには十分に正確ではない可能性がある。
【先行技術文献】
【特許文献】
【０００５】
【特許文献１】米国特許第６７５５０８６号明細書
【発明の概要】
【０００６】
１つの実施形態は、測定される負荷に関係する１つ又は複数のパラメーターを測定するように構成されるシステムを含む。当該システムは、第１の入力及び第２の入力を有する差動増幅器を備える。また、当該システムは、当該差動増幅器の第１の入力と接続される電極も備える。当該電極は、測定される負荷を通して電流を出力するように構成される。当該差動増幅器の第１の入力と接続される第１の検知インピーダンスは、１つ又は複数の測定される負荷又は測定される負荷と並列な寄生負荷を通して電流を通電するように構成される。また、当該システムは、当該差動増幅器の第２の入力と接続され且つシステムの接地部と接続される平衡負荷を備える。当該平衡負荷は、寄生負荷と平衡するように構成される。さらに、当該システムは、第２の入力と接続される第２の検知インピーダンスを備える。当該第２の検知インピーダンスは、第１の検知インピーダンスのインピーダンスと実質的に等しいインピーダンスを有し、且つ平衡負荷を通して電流を通電するように構成される。
【０００７】
他の実施形態において、多相計量システムが提供される。当該多相計量システムは、流れプロセスにおける１つ又は複数の流体要素を輸送するように構成される輸送パイプを備える。また、当該多相計量システムは、輸送パイプを通して流れる１つ又は複数の流体要素の１つ又は複数のパラメーターを測定するように構成される１つ又は複数の電極も備える。さらに、当該多相計量システムは、１つ又は複数の電極と結合する測定回路構成を有する測定電子装置を備える。当該測定回路構成は、多相計量システムの寄生インピーダンスと実質的に等しいインピーダンスを有する平衡負荷を備える。
【０００８】
他の実施形態は、多相流体計量システムにおいて流れパラメーターを監視する方法を含む。当該方法は、多相流体計量システムにおいて、流体要素の部分の間の差動電圧降下を検知することと、平衡負荷を使用して、多相流体計量システムの寄生インピーダンスを平衡することとを含む。
【０００９】
同様な特性が図面を通して同様な部分を表す添付図面を参照して、以下の詳細な記載を読むことにより、本発明のこれら及び他の特徴、側面、及び利益は、より良く理解される。
【図面の簡単な説明】
【００１０】
【図１】パイプを通して流れる１つ又は複数の流体に関連するパラメーターを決定する本開示の技法による多相計量システムの概略図である。
【図２】本開示の技法による多相計量システムにおけるパイプの断面図を示す概略図である。
【図３】本開示の技法による多相計量システムにおけるパイプの断面図を示す概略図である。
【図４】本開示の技法による多相計量システムにおけるパイプの断面図を示す概略図である。
【図５】本開示の技法による多相計量回路と接続されるセンサーの断面図を示す概略図である。
【図６】本開示の技法による多相流れプロセスを通して電流を測定するに適した本発明の回路構成を示す回路図である。
【発明を実施するための形態】
【００１１】
本開示の実施形態は、容積を測定されることを通して電気インピーダンスをより正確に定めるシステム及び方法に関する。電気インピーダンスを定めることは、容積に関する電圧と容積を通して流れる電流のような容積の電気的条件を測定することを伴っても良い。いくつかの実施形態において、容積に関する電圧を測定することと容積を通して流れる電流を検知することは、容積に配置される電極対の間の電気的条件を測定することを伴っても良い。例えば、インピーダンス測定システムの一つの実施形態は、導管に配置される電極を備え得る多相計量システムを含む。電極は、導管及び／又は導管を流れる流体を通して電流を送信及び／又は受信するように構成されても良い。多相計量システムは、電極測定に基づいて導管を通して流れる流体の様々なパラメーターを計算及び処理するのに適した回路構成を含んでも良い。
【００１２】
パイプを通して流れる１つ又は複数の流体と関連するパラメーターを決定するための多相計量システムの１例を図１に示す。多相計量システム１０は、流体を輸送するに適したダクト又はパイプ１２のような導管を含む。システム１０は、輸送パイプ１２に配置される１つ又は複数の電極１４を含んでも良く、電極１４は、電極測定を受信し分析するに適した回路構成１８と１つ又は複数のプロセッサ１７を有する測定電子装置１６に電気的に接続されて、パイプ１２を通して流れる流体に関する１つ又は複数のパラメーターを決定しても良い。
【００１３】
例えば、石油とガスの生産の間に、一般に流体要素と言われる石油、水、ガス及び／又は砂が、パイプ１２を通して海洋生産プラットフォームを通して取り出されても良い。このような流体要素は、パイプ１２を通して同時に流れても良く、異なる流体要素の分布が、パイプ１２内で多様なパターンで流れても良い。パイプ１２は、実質的に円形の断面を有しても良く、様々な種類の流体要素を輸送するに適しても良い。流体要素は、異なる軸方向及び／又は半径方向パターンで流れても良く、パイプ１２内で層流及び／又は非層流を形成しても良い。
【００１４】
いくつかの実施形態において、多相計量システム１０は、輸送パイプ１２を通して様々な流体要素の流れパターンに関係するパラメーターを監視するために使用されても良い。例えば、システム１０は、流体要素の流速、流量等のような１つ又は複数のパラメーターを連続的に測定するために使用されても良い。システム１０は、パイプ１２に配置される１つ又は複数の電極１４を含んでも良い。例えば、いくつかの実施形態において、電極１４が、実質的に円形の断面を有する電極体１５に配置されても良い。電極体１５は、パイプ１２に関して同心的に配置されても良く、その結果、流体要素がパイプ１２を通して移動する際に、パイプ１２の断面を通して移動する流体要素の部分の１つ又は複数のパラメーターが測定されても良い。
【００１５】
電極１４は、電極体１５が周りに配置されるパイプ１２の断面領域を通して移動する流体要素の電気特性を測定するために適しても良い。例えば、図２は、パイプ１２の断面と同心的に配置される複合的な電極１４を備えるパイプ１２の断面図である。いくつかの実施形態において、１つ又は複数の電極１４（例えば、送信電極１４ａ）が、流体要素を通して電流を送信しても良く、且つ、対応する電極１４（例えば、受信電極１４ｂ）が、送信電流に応答して発生する対応する電界を測定しても良い。いくつかの実施形態において、測定電子装置１６は、流体要素に電流を送信するのに適しても良い。例えば、測定電子装置１６は、送信電極１４を通してパイプ１２と流体要素にＡＣ電圧を印加するために使用されても良い信号発生器を備えても良い。測定電子装置１６は、流体要素の電気応答を測定し且つ出力するために適する回路構成１８を備えても良い。
【００１６】
図２に示されるように、それぞれ送信及び受信電極１４ａ及び１４ｂ、１４ｃ及び１４ｄ、１４ｅ及び１４ｆ、並びに１４ｇ及び１４ｈのように、電極対の各々は反対の位置に配置されても良い。いくつかの実施形態において、図３に示されるように、それぞれ送信及び受信電極１４ｉ及び１４ｊ、１４ｋ及び１４ｌ、１４ｍ及び１４ｎ、並びに１４ｏ及び１４ｐのように、電極対が隣接して対とされても良い。さらに、いくつかの実施形態において、図４に示されるように、それぞれ送信及び受信電極１４ｑ及び１４ｒ、１４ｓ及び１４ｔ、１４ｕ及び１４ｖ、並びに１４ｗ及び１４ｘのように、電極対が別のやり方で異なって対とされても良い。１つ又は複数の実施形態において、電極対が、電流を送信し及び／又はパイプ１２を通して移動する流体要素の電気的条件を測定するために配置及び構成されても良い。図２〜４の各々がパイプ１２の軸方向断面の周囲に配置される８個の電極１４を有し、他の実施形態において、異なる数の電極１４がパイプ１２の軸方向断面の周囲に配置されても良く、且つ、電極１４がパイプ１２の複合的な軸方向断面に配置されても良いことに注意すべきである。さらに、いくつかの実施形態において、多相計量システム１０が、パイプ１２の周囲にある電極１４の異なる配置を備えても良い。例えば、電極対がパイプ１２の縦方向長さを横切って斜めに配置されても良い。
【００１７】
さらに、いくつかの実施形態において、図１〜図４に示されるように、電極１４は、パイプ１２の内側表面を覆って配置（すなわち、流体要素に隣接してパイプ１２の側に配置）されても良い。他の実施形態において、図５に示されるように、電極１４は、パイプ１２の外側表面に配置（すなわち、流体要素の反対側であるパイプ１２の側に配置）されても良い。いくつかの実施形態において、電極１４のシールドは、同軸ケーブル２０のシールド２４によって、測定回路構成１８に接続されても良い。
【００１８】
電極対の各々の間で生成された電界は、多相計量システム１０の測定電子装置１６によって測定及び分析され、測定された電気的条件に基づいて流体要素の様々なパラメーターを定めても良い。測定電子装置１６は、流体要素の測定された電気特性に基づいて様々なパラメーターを定め得るプロセッサ１７を備えても良い。例えば、プロセッサ１７は、電極対（例えば、送信電極１４ａと受信電極１４ｂ）の間の差動電圧を決定し、電極対の間を移動する１つ又は複数の流体要素のインピーダンスを定めても良い。石油、水、ガス、及び砂のような異なる流体要素は、それぞれ異なるインピーダンスを有するので、プロセッサ１７は、測定されたインピーダンスに基づいて、異なる流体要素の量、流速、容積流量等のような流体要素の様々なパラメーターを決定しても良い。さらに、数個の電極対がパイプ１２の断面領域の周囲に配置されても良いので、断面領域を通して移動する実質的に全ての流体要素が決定されても良い。例えば、プロセッサ１７が、断面領域の周囲に配置される電極体１５の電極測定に基づいて、パイプ１２の断面領域を通過する流れの断面を分析しても良い。
【００１９】
測定される流体要素の性質、パイプ１２を通して流体要素が輸送されるプロセス、及び／又は同軸ケーブル２０（図５）の長さに依存して、望ましくない寄生インピーダンスが、パイプ１２を通過して移動する流体要素を通して、差動電圧を正確に測定すること及び／又は電流を正確に検知することを時々妨げる可能性がある。特に、パイプ１２を通して比較的高速で移動し、負荷インピーダンスにおいて比較的小さな変化を有する流体要素は、正確に測定及び分析するのが困難である可能性がある。例えば、石油及びガス生成の間に取り出される流体は、比較的高速でパイプ１２を通して流れる可能性がある。このような流体要素は、比較的高い周波数でパイプ１２において異なる軸方向及び／又は半径方向パターンで流れる可能性がある。さらに、パイプ１２を通して取り出される異なる流体要素の量は、流れプロセスで変化する可能性がある。しかしながら、異なる流体要素の流量において意義のある変化であっても、負荷インピーダンスにおいて相対的に小さな変化しか生じない可能性があり、検出することが困難である可能性がある。さらに、寄生インピーダンスが計量システムを妨げる場合には、インピーダンスにおける小さな変化は、検出するのが特に困難である可能性がある。いくつかのシステムにおいて、比較的大きな寄生インピーダンスは、負荷電流より大きな漏れ電流、すなわち、電極対の間で測定される電流を取り出す可能性がある。
【００２０】
いくつかの実施形態において、測定電子装置１６は、寄生インピーダンスを保障する回路構成１８を備えても良く、これにより、負荷電流がより正確に検出されることになる可能性がある。図６は、本開示の１つ又は複数の実施形態における測定回路構成１８を示す回路図である。いくつかの実施形態において、測定回路構成１８は、伝送及び受信電極対（例えば、図２の送信電極１４ａと受信電極１４ｂ）の間の電子工学的な関係を表す。例えば、抵抗Ｒsense２６は、差動増幅器３０の入力３８と接地されたＤＣ電源３６と接続されることのある受信電極１４ｂの抵抗を表して良い。電源３６は、送信電極１４ａによって送信される電流を表しても良い。回路構成１８は、高位のＲsense２６の間の差動電圧降下を増幅して、パイプ１２の流体要素を通して流れる電流を定めても良い。流体要素は、回路構成１８において負荷２８として表され、Ｒsense２６に直列に接続される。
【００２１】
電源３６から電流を取り出すこともある寄生インピーダンスは、測定される負荷２８と並列に接続される寄生負荷３２として、回路構成１８において表される。寄生負荷３２に依存して、寄生負荷３２を通して取り出される電流は、測定された負荷２８を通して取り出される電流より大きくても良い。このような例において、接地に接続される他の１個の入力４０を通常は備えることもある差動増幅器３０が、測定される負荷２８に並列に接続される寄生負荷３２によって生成される大きなコモンモード電圧のために、測定された負荷２８を通して差動電圧を正確に測定できないことがある可能性がある。
【００２２】
いくつかの実施形態において、測定回路構成１８は、差動増幅器３０の入力４０と電源の接地との間に接続される平衡負荷３４を含んでも良い。回路構成１８は、電源３６と接続され、平衡負荷３４と直列で且つ測定抵抗Ｒsense２６と並列な第２の抵抗Ｒsense’４４を含んでも良い。平衡負荷３４は、寄生負荷３２のインピーダンスと実質的に等しいインピーダンスを有しても良く、且つ、第２の抵抗Ｒsense’４４は、測定抵抗Ｒsense２６と実質的に等しくても良い。このように、平衡負荷３４を通して流れる電流により生じる電圧降下は、寄生負荷３２を通して流れる電流により生じる電圧降下と実質的に等しくても良い。差動増幅器３０が、当該差動増幅器の２個の入力３８と４０の電圧差に比例する出力４２を生成しても良いので、平衡インピーダンス３４が寄生インピーダンス３２と等しい際に、寄生容量３２のインピーダンスが、差動増幅器３０の出力４２に意義のある程に影響しなくても良い。
【００２３】
差動増幅器３０の出力４２は、送信（例えば、電極１４ａ）及び受信（例えば、電極１４ｂ）電極対の間に存在する流体要素について測定される電圧の差に比例しても良いので、出力４２は、測定された流体要素の特性を定めるために使用されても良い。１つの実施形態において、複合的な電極対（例えば、電極対１４ａ及び１４ｂ、電極対１４ｃ及び１４ｄ、電極対１４ｅ及び１４ｆ）は、流れプロセスの間じゅう各々の対の間の差動電圧を測定するために連続的に使用されても良く、且つ、各々の電極対から取り出される対応する出力４２は、１つ又は複数のプロセッサ１７と並列に送信されても良い。いくつかの実施形態において、複合的なプロセッサ１７の各々が、複合電極対の測定から取り出される出力４２の各々を並列に処理するために使用されても良い。他の実施形態において、複合的な出力４２が、処理のために１個のプロセッサ１７に多重化されても良い。１つ又は複数のプロセッサ１７は、インピーダンスのように、各々の電極対の間で測定される流体要素の電気的な特性を定めても良い。連続して測定された出力４２に基づいて、１つ又は複数のプロセッサ１７が、実質的にリアルタイムで異なる流体要素のパラメーターを定めても良い。例えば、１つ又は複数のプロセッサ１７が、測定処理の間じゅう異なる流体要素の量、流速、体積流量等を連続的に定めても良い。
【００２４】
いくつかの実施形態において、Ｒsense’４４が１０Ωと１ｋΩの間の値であっても良い。例えば、１つの実施形態において、Ｒsense’４４がおおよそ２００Ωであっても良い。いくつかの実施形態において、平衡負荷３４が１ｐＦと５００ｐＦの間のインピーダンス値を有しても良い。例えば、１つの実施形態において、平衡負荷３４がおおよそ３０ｐＦのインピーダンス値を有しても良い。さらに、いくつかの実施形態において、測定された負荷２８のインピーダンスの大きさが５Ωと１ＭΩの間の値であっても良い。異なる実施形態において、Ｒsense’４４の各々、平衡負荷３４及び測定された負荷２８が、測定される負荷及び／又は負荷を測定するために使用されるシステムに依存して、異なっても良い。例えば、多相計量システムにおいて、寄生負荷３２は、同軸ケーブル２０の長さ及び／又は測定された負荷２８のインピーダンスのようなパラメーターによって影響されても良い。それゆえ、推定された寄生負荷３２の電圧降下を平衡するために、平衡負荷３４は、同軸ケーブル２０の長さ、測定された負荷２８のインピーダンス及び／又は公知の寄生負荷インピーダンスに基づいて定められても良い。
【００２５】
測定回路構成１８の様々な要素は、抵抗又はキャパシタンスを有する抵抗又は負荷として表されると同時に、１つ又は複数の実施形態において、測定回路構成は、電源３６によって供給される電流に対して異なる電気的な応答を有する要素を有しても良いことに注意すべきである。例えば、抵抗Ｒsense２６は、電極１４において測定電子装置の抵抗を一般的に表すと同時に、測定電子装置は、抵抗Ｒsense２６によって表される抵抗に加えて、キャパシタンスを有する追加的な要素を有しても良い。さらに、寄生及び平衡負荷３２と３４の実例の範囲は、ファラド(Farads)で表されると同時に、いくつかの実施形態においては、平衡負荷３４が、抵抗成分を有し、寄生負荷３２のインピーダンスと実質的に整合しても良い。
【００２６】
さらに、多相計量システムが、寄生インピーダンス平衡回路構成を有するインピーダンス計量システムの１例として本開示に記載されると同時に、１つ又は複数の実施形態は、異なる形式の計量システムに適し、且つ、多相計量技法に限定されるものではない。さらに、石油及びガス生産が、本発明の多相計量技法が利用されることのある産業の１例として使用されると同時に、本開示は、他の産業に応用されても良く、且つ、石油及びガス生産に限定されるものではない。
【００２７】
本願は、本発明を開示する実施例を例示し、最良の実施形態を記載し、当業者が発明を実施することを可能とし、デバイス又はシステムを製造及び使用すること及び組み込まれた任意の方法を使用することを記載する。本発明の権利範囲は、特許請求の範囲の記載によって定義され、当業者に想起する他の実施形態に及び得る。このような他の実施例が特許請求の範囲の文言と異ならない構成要素を有するか、又は、このような他の実施例が特許請求の範囲の文言と実質的に異ならない均等な構成要素を含むならば、このような他の実施例が本発明の権利範囲内にあることが意図される。
【符号の説明】
【００２８】
１０  多相計量システム
１２  パイプ
１４  電極
１５  電極体
１６  測定電子装置
１７  プロセッサ
１８  回路構成
２０  同軸ケーブル
２６  Ｒsense
２８  負荷
３０  差動増幅器
３２  寄生負荷
３４  平衡負荷
４２  出力
４４  Ｒsense’
【図１】
2015500470.tif 000003
【図２】
2015500470.tif 000004
【図３】
2015500470.tif 000005
【図４】
2015500470.tif 000006
【図５】
2015500470.tif 000007
【図６】
2015500470.tif 000008
【国際調査報告】
2015500470.tif 000009
2015500470.tif 000010
2015500470.tif 000011